(57)【要約】【課題】受光面の角度を調整するときの操作手順が削減できる人感センサユニットを提供することにある。【解決手段】検知対象の存在の有無を検出するセンサ素子と、これを内蔵する略円筒状の円筒状本体１と、この円筒状本体１の側周面に設けられ外からの光を導入させて前記センサ素子に略集光させる受光面１ａと、前記円筒状本体１を支持するとともに前記円筒状本体１を筒の軸を中心に回転させて受光面１ａを移動させる支持体２と、を備えた人感センサにおいて、前記受光面１ａに光を到達させるための透光開口を有した本体カバー３を設け、この本体カバー３を前記円筒状本体１の両側の筒端部を略覆うセット状態にしたときに前記円筒状本体１が回転しないようにする回転止め機構を設けたことを特徴とする人感センサユニット。【選択図】        図１
2004205299.tif 000002
【特許請求の範囲】
【請求項１】
検知対象の存在の有無を検出するセンサ素子と、これを内蔵する略円筒状の円筒状本体と、この円筒状本体の側周面に設けられ外からの光を導入させて前記センサ素子に略集光させる受光面と、前記円筒状本体を支持するとともに前記円筒状本体を筒の軸を中心に回転させて受光面を移動させる支持体と、を備えた人感センサにおいて、前記受光面に光を到達させるための透光開口を有した本体カバーを設け、この本体カバーを前記円筒状本体の両側の筒端部を略覆うセット状態にしたときに前記円筒状本体が回転しないようにする回転止め機構を設けたことを特徴とする人感センサユニット。
【請求項２】
前記回転止め機構は、前記本体カバーが前記支持体に圧力を加えることによって、前記支持体が前記円筒状本体を回転しないようにするものであることを特徴とする請求項１記載の人感センサユニット。
【請求項３】
前記回転止め機構は、前記本体カバーに設けられた一対の挟持片を有し、この挟持片によって前記支持体を外側から挟み込むとともに前記支持体を介して前記円筒状本体の両側の筒端部を挟持するものであることを特徴とする請求項２記載の人感センサユニット。
【請求項４】
前記回転止め機構は、前記本体カバーが前記セット状態にないときには前記受光面を所定の角度で仮止めできる仮止め部を有し、前記本体カバーが前記セット状態にあるときには前記仮止め部がさらに前記円筒状本体が回転しないように作用するものであることを特徴とする請求項３記載の人感センサユニット。
【請求項５】
前記本体カバーは、その一部が前記支持体に係合される係合部を有し、前記支持体は前記係合部を支持する係合支持部を有し、前記本体カバーの前記係合部は、前記係合支持部に係合されながら手前に引き出せるものであることを特徴とする請求項３又は４記載の人感センサユニット。
【請求項６】
前記本体カバーは、前記手前に引き出した状態で前記係合部を軸として回動できるものであることを特徴とする請求項５記載の人感センサユニット。
【請求項７】
前記円筒状本体から奥方向に延設される延設片を設け、この延設片の先端部分に前記仮止め部を設け、この仮止め部の周縁に円筒状本体の回転角度に応じた目盛を表示したことを特徴とする請求項４記載の人感センサユニット。
【発明の詳細な説明】
【０００１】
【発明の属する技術分野】
本発明は、受光面を備えた本体を回転させて所定の位置で固定することにより検知エリアを移動できる人感センサユニットに関する。
【０００２】
【従来の技術】
この種の人感センサユニットとして特開平９−３０４５４８号公報に開示さたものがある。図１４、図１５は、これに開示された人感センサユニットの図で、図１４（ａ）はこのものの正面図、図１４（ｂ）は側面図、図１５は外観斜視図である。このものは検知対象の存在の有無を検出するセンサ素子（図示せず）と、これを内蔵する略円筒状の円筒状本体１と、この円筒状本体１の側周面に設けられ外からの光を導入させて前記センサ素子に略集光させる受光面１ａと、円筒状本体１の両側で支持し円筒状本体１を筒の軸を中心に回転させて受光面１ａを移動させる支持体２と、を備えて構成されている。
【０００３】
円筒状本体１は、筒端部の略中心に設けられた回動軸１ｘと、一定の角度毎に設けられた９個の角度調整手段としての凹部１４と、各凹部１４の角度を示す１〜９までの数字が刻まれた表示１５とを備えている。支持体２は、平板を断面Ｌ字に折り曲げ形成したもので、円筒状本体１の両側にその垂直片を突き合わせるように設けられている。
【０００４】
この人感センサユニットは、図１５に示すように、回動軸１ｘを支持体２の孔２０に挿通させて、支持体２によって回動自在に支持されている。このとき円筒状本体１の筒端部に設けられた凹部１４に支持体２の凸部２６を係止離脱自在に係止させることによって、人感センサユニットの取り付け角度すなわち受光面１ａの角度を所望の角度に保持している。また、支持体２に穿設された窓孔２７から円筒状本体１の筒端部に設けられた表示１５の数字を読み取ることができるので、円筒状本体１の取り付け角度を調整する際の目安となり、調整作業を容易に行うことができるものとなっている。
【０００５】
このように構成された人感センサユニットは、例えば、図１６に示すような階段用の照明器具に使用される。すなわち照明器具の両端部に各１ケづつ人感センサユニット１００を取り付け、各々の受光面１ａを適宜、上下に回動して調整することにより、一方の人感センサユニットで上階に通じる階段における検知対象の存在の有無が検知でき、他方の人感センサユニットで下階に通じる階段における検知対象の存在の有無を検知できるものとなっている。
【０００６】
【特許文献１】
特開平９−３０４５４８号公報
【０００７】
【発明が解決しようとする課題】
ところで前記した人感センサユニットは、円筒状本体１の上下と取り付け面との間に生じる隙間、例えば円筒状本体１と照明器具の本体との隙間や、回転軸１ｘなどが外部から見えるので、デザイン的に上下の隙間や回転軸１ｘを見えなくすることが望まれていた。さらに円筒状本体１や表示１５が外部から見えると心理的に円筒状本体１を回転させたくなることがあり、いたずらを防止する意味でも外部からは、表示１５を見えなくしたり、円筒状本体１が回転するものであることに気づかないようにすることが望まれていた。
【０００８】
図１７〜図１９に示した人感センサユニットは、前記したことを考慮して出願人が考案したものである。この人感センサユニットは、検知対象の存在の有無を検出するセンサ素子（図示せず）と、これを内蔵する略円筒状の円筒状本体１と、この円筒状本体１の側周面に設けられ外からの光を導入させて前記センサ素子に略集光させる受光面１ａと、円筒状本体１を両側で支持し円筒状本体１を筒の軸を中心に回転させて受光面１ａを移動させる支持体２と、円筒状本体１の両側の筒端部を略覆うとともに受光面１ａに光を到達させるための透光開口３ｂｘを有した本体カバー３と、を備えて構成されている。
【０００９】
このものを詳しく説明すると、センサ素子は、人体などから発する赤外線を検出する焦電センサであり、円筒状本体１の内部の中央部分に配設されている。
【００１０】
円筒状本体１は、その筒端部の略中心に設けられ円筒状本体１の回転の中心となる回動軸１ｘと、筒端部に一定の角度毎に設けられた７個の角度調整手段としての凹部１４と、各凹部１４の角度を示す１〜７までの数字が刻まれた表示１５と、を備えている。
【００１１】
受光面１ａは、円筒状本体１の側周面に設けられ赤外線をセンサ素子に略集光させるもので、通常は、フレネルレンズなどで形成されている。
【００１２】
支持体２は、断面略コ字状をなしたもので、略コ字状の対向する片で円筒状本体１の両側の筒端部を挟み込んでいる。そして、略コ字状の対向する片には、円筒状本体１の回動軸１ｘを挿通して円筒状本体１を支持、回転させる孔２０と、円筒状本体１の筒端部に設けられた凹部１４と係止離脱自在に係止することによって人感センサユニットの取り付け角度すなわち受光面１ａの角度を所望の角度に保持する凸部２６と、締め付けることにより略コ字状の対向する片の間隔が狭くなり凸部２６と凹部１４とが嵌合状態となる固定ネジ２１と、円筒状本体１の筒端部に設けられた表示１５の数字を読み取ることができるように穿設された窓孔２７と、を備えている。
【００１３】
本体カバー３は、前記した上下の隙間や回転軸１ｘを外部から見えにくくした方形のカバー枠部３ａと、円筒状本体１の両側の筒端部や表示１５を外部から見えにくくした略半円状のカバー側面部３ｂと、を備えている。カバー枠部３ａは、円筒状本体１の受光面１ａ側が貫通する貫通口３ａｘを中央部分に有し、カバー側面部３ｂは、貫通口３ａｘを貫通した円筒状本体１の筒端部を略覆うように貫通口３ａの周縁より前面側に形成されている。そして、本体カバー３は、その上部を支持体２に対して回動自在に取り付けられている。
【００１４】
このように構成された人感センサユニットの受光面１ａの角度の調整方法は、以下の通りである。まず、図１０に示すように、本体カバー３を回動させて上側に開き、固定ネジ２１を緩める。そして円筒状本体１を適宜、回転させて受光面１ａを所望の位置に仮決めする。このとき窓孔２７から表示１５の数字を読み取って受光面１ａの角度を調整する際の目安とすればよい。そして、所望の位置が決まると固定ネジ２１を締め付ける。これにより図１９に示した支持体２の凸部２６が円筒状本体１の凹部１４に嵌り込み円筒状本体１が固定される。さらに、本体カバー３を下側に回動させて閉めることにより調整が完了する。このとき回転軸１ｘや前記した上下の隙間や円筒状本体１の筒端部や表示１５などが本体カバー３により隠されるので、外部からは見えにくくなる。
【００１５】
このものは本体カバー３を設けることにより、回転軸１ｘや上下の隙間を見えにくくしてデザイン性を向上できるとともに、円筒状本体１の筒端部や表示１５を外部から見えにくくしてその存在を他人に気づかれにくくできるものであった。さらに固定ネジ２１で円筒状本体１を固定しているので、外部から受光面１ａに触れても、受光面１ａは容易に回転しないようにできるものであった。
【００１６】
ところが、このものでは、受光面１ａの角度を調整するときには、まず、本体カバー３を上側に回動させて開け、さらに固定ネジ２１を緩めて円筒状本体１が回転できる状態にする操作手順が必要であった。また、受光面１ａが所望の位置に決った後は、固定ネジ２１を締め付けて円筒状本体１が回転しない状態にし、さらに本体カバー３を下側に回動させて閉める操作手順が必要であった。従って、人感センサユニットをビルなどに多数配設する場合などは、調整に時間がかかるものとなっていた。
【００１７】
本発明は、上記事由に鑑みてなしたもので、その目的とするところは、受光面の角度を調整するときの操作手順が削減できる人感センサユニットを提供することにある。
【００１８】
【課題を解決するための手段】
請求項１に係る発明の人感センサユニットは、検知対象の存在の有無を検出するセンサ素子と、これを内蔵する略円筒状の円筒状本体と、この円筒状本体の側周面に設けられ外からの光を導入させて前記センサ素子に略集光させる受光面と、前記円筒状本体を支持するとともに前記円筒状本体を筒の軸を中心に回転させて受光面を移動させる支持体と、を備えた人感センサにおいて、前記受光面に光を到達させるための透光開口を有した本体カバーを設け、この本体カバーを前記円筒状本体の両側の筒端部を略覆うセット状態にしたときに前記円筒状本体が回転しないようにする回転止め機構を設けたことを特徴とする。
【００１９】
請求項２に係る発明の人感センサユニットは、請求項１において、前記回転止め機構は、前記本体カバーが前記支持体に圧力を加えることによって、前記支持体が前記円筒状本体を回転しないようにするものであることを特徴とする。
【００２０】
請求項３に係る発明の人感センサユニットは、請求項２において、前記回転止め機構は、前記本体カバーに設けられた一対の挟持片を有し、この挟持片によって前記支持体を外側から挟み込むとともに前記支持体を介して前記円筒状本体の両側の筒端部を挟持するものであることを特徴とする。
【００２１】
請求項４に係る発明の人感センサユニットは、請求項３において、前記回転止め機構は、前記本体カバーが前記セット状態にないときには前記受光面を所定の角度で仮止めできる仮止め部を有し、前記本体カバーが前記セット状態にあるときには前記仮止め部がさらに前記円筒状本体が回転しないように作用するものであることを特徴とする。
【００２２】
請求項５に係る発明の人感センサユニットは、請求項３又は４において、前記本体カバーは、その一部が前記支持体に係合される係合部を有し、前記支持体は前記係合部を支持する係合支持部を有し、前記本体カバーの前記係合部は、前記係合支持部に係合されながら手前に引き出せるものであることを特徴とする。
【００２３】
請求項６に係る発明の人感センサユニットは、請求項５において、前記本体カバーは、前記手前に引き出した状態で前記係合部を軸として回動できるものであることを特徴とする。
【００２４】
請求項７に係る発明の人感センサユニットは、請求項４において、前記円筒状本体から奥方向に延設される延設片を設け、この延設片の先端部分に前記仮止め部を設け、この仮止め部の周縁に円筒状本体の回転角度に応じた目盛を表示したことを特徴とする。
【００２５】
【発明の実施の形態】
（第１の実施の形態）
本発明の第１の実施の形態を図１、図２を用いて説明する。図１は人感センサユニットを上から見た断面図、図２は本体カバーの斜視図である。
【００２６】
この人感センサユニットは、検知対象の存在の有無を検出するセンサ素子（図示せず）と、これを内蔵する略円筒状の円筒状本体１と、この円筒状本体１の側周面に設けられ外からの光を導入させてセンサ素子に略集光させる受光面１ａと、円筒状本体１を支持するとともに円筒状本体１を筒の軸を中心に回転させて受光面１ａを移動させる支持体２と、円筒状本体１の両側の筒端部を略覆うとともに受光面１ａに光を到達させるための透光開口を有した本体カバー３と、を備えて構成されている。なお、このものにおいて、センサ素子と円筒状本体１と受光面１ａと支持体２とは、図１０を用いて説明したものと同じものを用いている。また、以下の説明において図１、図２に図示されていない符号については、図１０にて図示したものと同じものが存在していることとする。
【００２７】
以下、各々の構成部材について詳細な説明を行なう。センサ素子は、人体などから発する赤外線を検出する焦電センサであり、円筒状本体１の内部の中央部分に配設されている。
【００２８】
円筒状本体１は、その筒端部の略中心に設けられ円筒状本体１の回転の中心となる回動軸１ｘと、筒端部に一定の角度毎に設けられた７個の角度調整手段としての凹部１４と、各凹部１４の角度を示す１〜７までの数字が刻まれた表示１５と、を備えている。
【００２９】
受光面１ａは、円筒状本体１の側周面に設けられ赤外線をセンサ素子に略集光させるもので、通常は、フレネルレンズなどで形成されている。
【００３０】
支持体２は、断面略コ字状をなしたもので、略コ字状の対向する片で円筒状本体１の両側の筒端部を挟み込んでいる。そして、略コ字状の対向する片には、円筒状本体１の回動軸１ｘを挿通して円筒状本体１を支持、回転させる孔２０と、円筒状本体１の筒端部に設けられた凹部１４と係止離脱自在に係止することによって人感センサユニットの取り付け角度すなわち受光面１ａの角度を所望の角度に保持する凸部２６と、円筒状本体１の筒端部に設けられた表示１５の数字を読み取ることができるように穿設された窓孔２７と、を備えている。また、円筒状本体１の筒端部に設けられた凹部１４と、係止離脱自在に係止される凸部２６と、により円筒状本体１が仮止めできる仮止め部Ａを形成している。
【００３１】
本体カバー３は、従来の技術で説明した上下の隙間や回転軸１ｘを外部から見えにくくした方形のカバー枠部３ａと、円筒状本体１の両側の筒端部や表示１５を外部から見えにくくした略半円状のカバー側面部３ｂと、を備えている。そしてカバー枠部３ａは、円筒状本体１の受光面１ａ側が貫通する貫通口３ａｘを中央部分に有し、カバー側面部３ｂは、貫通口３ａｘを貫通した円筒状本体１の筒端部を略覆うように貫通口３ａｘの周縁より手前側に形成されている。
【００３２】
ここで重要なことは、本体カバー３を円筒状本体１の両側の筒端部を略覆うセット状態にしたときに円筒状本体１が回転しないようにする回転止め機構を設けたことである。すなわち、この回転止め機構を本体カバー３が支持体２に圧力を加えることによって、支持体２が円筒状本体１を回転しないようにしたことである。
【００３３】
これを詳しくのべると、回転止め機構は、本体カバー３に設けられた一対の挟持片を有し、この挟持片によって、支持体２を外側から挟み込むとともに支持体２を介して円筒状本体１の両側の筒端部を挟持して円筒状本体１が回転しないようにしている。具体的には、カバー側面部３ｂの内側壁面に沿って貫通口３ａｘと略直交するように凸状のリブ３ｂｋを設けることによりカバー側面部３ｂが前記した挟持片となる。そして、本体カバー３をセット状態すなわち、本体カバー３のカバー側面部３ｂが円筒状本体１の両側の筒端部を略覆う状態にしたときに、カバー側面部３ｂの凸状のリブ３ｂｋが支持体２に当接して、支持体２を外側から挟み込み、支持体２を介して円筒状本体１の両側の筒端部を挟持して、円筒状本体１が回転しないようにしている。
【００３４】
また、この挟持された状態では、円筒状本体１の筒端部に設けられた凹部１４に支持体２の凸部２６がさらに入り込むため、凹部１４と凸部２６で構成された仮止め部Ａが、さらに円筒状本体１が回転しないように作用するものとなり、円筒状本体１が確実に固定されるようになる。
【００３５】
このように構成された人感センサユニットの受光面１ａの角度の調整方法は、以下の通りである。まず、本体カバー３を手前に引き支持体２から取り外す。次に円筒状本体１を適宜、回転させて受光面１ａを所望の位置に仮決めする。このとき窓孔２７から表示１５の数字を読み取って受光面１ａの角度を調整する際の目安とすればよい。そして、所望の位置が決まると本体カバー３を支持体２に取り付けて、前記したセット状態すなわち本体カバー３が円筒状本体１の両側の筒端部を略覆う状態にセットする。これにより図１に示した支持体２の凸部２６が円筒状本体１の凹部１４に嵌り込み円筒状本体１が固定されるので、仮止め部Ａがさらに円筒状本体１が回転しないように作用するとともに、カバー側面部３ｂの凸状のリブ３ｂｋが支持体２に当接して、支持体２を外側から挟み込み、支持体２を介して円筒状本体１の両側の筒端部を挟持しするので、円筒状本体１は、回転しないように固定される。このとき回転軸１ｘや上下の隙間や円筒状本体１の筒端部や表示１５などが本体カバー３により隠されるので、外部からは見えにくくなる。
【００３６】
この実施の形態によると、受光面１ａに光を到達させるための透光開口３ｂｘを有した本体カバー３を設け、この本体カバー３を円筒状本体１の両側の筒端部を略覆うセット状態にしたときに円筒状本体１が回転しないようにする回転止め機構を設けたことにより、本体カバー３を支持体２から外すだけで、受光面１ａの角度を調整できるようになり、角度調整後は、本体カバー３を支持体２に取り付けてセット状態にするだけで、円筒状本体１が回転しないように固定されるものとなるので、角度調整のために、例えば、固定ネジを緩めたり、これを締め付けたりという操作が不要となり、受光面の角度を調整するときの操作手順が削減できるものとなる。
【００３７】
また、回転止め機構は、本体カバー３が支持体２に圧力を加えることによって、支持体２が円筒状本体１を回転しないようにするものであることにより、回転軸１ｘや上下の隙間や円筒状本体１の筒端部や表示１５などを隠す本体カバー３によって回転止め機構ができるものとなるので、専用の構成部材の追加を行なわなくてもよいものとなる。
【００３８】
また、回転止め機構は、本体カバー３に設けられた一対の挟持片を有し、この挟持片によって支持体２を外側から挟み込むとともに支持体２を介して円筒状本体１の両側の筒端部を挟持するものであることにより、本体カバー３のカバー側面部３ｂに凸状のリブ３ｂｋを設けるなどの簡単な方法で、カバー側面部３ｂを挟持片とすることができ、回転止め機構が容易にできるものとなる。
【００３９】
また、回転止め機構は、本体カバー３がセット状態にないときには受光面１ａを所定の角度で仮止めできる仮止め部Ａを有し、本体カバー３がセット状態にあるときには仮止め部Ａがさらに円筒状本体１が回転しないように作用するものとしたことにより、円筒状本体１がより確実に回転しないように固定できるものとなる。なお、仮止め部Ａには、凸部２６と凹部１４に示したように、本体カバー３をセット状態にしたときに、その嵌合度合いがさらに強くなるものを使用すればさらに有効なものとなる。
【００４０】
なお、支持体２に金属の平板を折り曲げ形成したものを使用した場合、図３に示したように断面コ字状をなした支持体２の先端に、金型加工を行なった場合のカエリ２ｋがあると、本体カバー３がスムーズに支持体２にセットできないものとなる。図４は、これを防ぐための応用例を示す図で、本体カバー３と支持体２の斜視図、図５は、本体カバー３が支持体２にセットされるときの動きを示した説明図である。
【００４１】
このものは、断面コ字状をなした支持体２の先端部分すなわち、カエリ２ｋが発生している先端より内側に蒲鉾形状のカエリ回避用凸部２ｅを設けている。なお、その他の構成部材は、前記したものと同一のものを使用している。また、第１の実施の形態と同一の構成部材には、同一符号を付すことにより説明を省略する。このものの本体カバー３の取り付けは、図５（ａ）に示すとおり、支持体２の先端に生じたカエリ２ｋよりも先にカエリ回避用凸部２ｅが凸状のリブ３ｂｋに当接し、さらに、そのまま図５（ｂ）に示したように挿入されるのでカエリ２ｋが本体カバー３に引っ掛からず本体カバー３がスムーズに支持体２にセットできるものとなる。
【００４２】
なお、図１０を用いて説明した人感センサユニットは、本体カバー３が、その上部を支持体２に対して回動自在に取り付けられているが、このものは回動自在に取り付けられた回動軸に対して円筒状本体１を手前に突出して設けることは、できない。これを図６の本体カバー３の動きを示す模式図を用いて説明する。図６（ａ）は、本体カバー３がセット状態にあるときの図で、その回動軸３Ｚに対して円筒状本体１が手前に突出している。この状態で本体カバー３を回動させると、図６（ｂ）のように、本体カバー３のカバー枠部３ａが円筒状本体１に当接してしまい、本体カバー３が開かないものとなる。これを回避するには本体カバー３の貫通口３ａｘを上下に広げる必要があるが、これは埃などが内部に侵入するうえ、デザイン的にも好ましいものではなかった。しかし、第１の実施の形態で説明した人感センサユニットであれば、本体カバー３を前後に動かして支持体２に取り付けるものなので、貫通口３ａｘは広げる必要はなく、デザイン的にも好ましいものとなる。
【００４３】
（第２の実施の形態）
本発明の第２の実施の形態を図７、図８を用いて説明する。図７は人感センサユニットの分解斜視図である。このものは、第１の実施の形態における人感センサユニットの本体カバー３の支持体２への取り付けを変えたものである。すなわち、本体カバー３の一部に支持体２に係合される係合部３ａｄを設け、支持体２に係合部３ａｄを支持する係合支持部２ｄを設け、本体カバー３の係合部３ａｄは、係合支持部２ｄに係合されながら手前に引き出せるものとしたことである。
【００４４】
このものを詳しく説明すると、係合支持部２ｄは、支持体２に貫通口３ａｘに対して略直交するように設けられた長孔であり、上下、左右の４ケ所に設けられている。また、係合部３ａｄは、本体カバー３に貫通口３ａｘに対して略直交して後ろ側に突出して上下、左右の４ケ所に設けられた突出片３ａｃの各々の先端部に設けられた凸状の軸部である。そして、係合部３ａｄすなわち軸部を係合支持部２ｄすなわち長孔に係合させることにより係合部３ａｄは、係合支持部２ｄにガイドされて本体カバー３が手前に引き出せるものとなる。なお、その他の第１の実施の形態と同一の構成部材には、同一符号を付すことにより説明を省略する。
【００４５】
次に、このものの動作を説明する。図８は人感センサユニットの側面図で、図８（ａ）は本体カバー３を円筒状本体１の両側の筒端部を略覆うセット状態にしたときの側面図である。この場合、第１の実施の形態で説明したものと同様に凸状のリブなどで構成された仮止め機構が存在するので、第１の実施の形態で説明したものと同様に円筒状本体１は回転しないように固定される。この状態から、受光面１ａの角度を調整するには、図８（ｂ）の本体カバーがセット状態にないときの側面図で示すように、本体カバー３を手前に引き出だせばよい、すなわち本体カバー３を手前に引くことにより係合部３ａｄが係合支持部２ｄにガイドされて本体カバー３が手前に引き出されるものとなる。なお、この後の受光面１ａの角度を調整などは、第１の実施の形態で説明したものと同じで、調整後は、本体カバー３を図８（ａ）のセット状態にすることで円筒状本体１は回転しないように固定される。
【００４６】
この実施の形態によると、本体カバー３は、その一部が支持体２に係合される係合部３ａｄを有し、支持体２は係合部３ａｄを支持する係合支持部２ｄを有し、本体カバー３の係合部３ａｄは、係合支持部２ｄに係合されながら手前に引き出せるものとしたことにより、図６の模式図を用いて説明したもののように本体カバー３のカバー枠部３ａが円筒状本体１に当接してしまい、本体カバー３が開かないものとはならない。従って、貫通口３ａｘは広げる必要はなく、デザイン的にも好ましいものとなる。また、常に、本体カバー３が支持体２に係合されているので、受光面１ａの角度を調整するときなどは、本体カバー３を紛失するようなことがなくなるものとなる。
【００４７】
次に、第２の実施の形態の応用例を説明する。図９は、人感センサユニットの分解斜視図、図１０は人感センサユニットの側面図で、図１０（ａ）は本体カバーを円筒状本体の両側の筒端部を略覆うセット状態にしたときの側面図、図１０（ｂ）は、本体カバーがセット状態にないときの側面図である。この応用例は、第２の実施の形態で説明したものの、係合部３ａｄと係合支持部２ｄを変えたものである。つまり、係合支持部２ｄは、支持体２に貫通口３ａｘに対して略直交するように設けられた長孔であり、支持体２の上部の左右の２ケ所に設けられている。また、これに対応した係合部３ａｄは、本体カバー３に貫通口３ａｘに対して略直交して後ろ側に突出して本体カバー３の上部の左右の２ケ所に設けられた突出片３ａｃの各々の先端部に凸状の軸部として設けられている。このものは、第２の実施の形態で説明したものと同様に、本体カバー３を手前に引き出すことができ、しかも図８（ｂ）に示したように、本体カバー３が手前に引き出された状態で、係合部３ａｄつまり凸状の軸部を軸として本体カバー３を符号ｘｘの方向に回動できるものとなる。
【００４８】
この応用例によると、本体カバー３は、に引き出した状態で係合部３ａｄを軸として回動できるものとしたことにより、本体カバー３により受光面１ａの角度を調整がより行ないやすくなるだけでなく、本体カバー３が受光面１ａの手前側に位置されないものとなるので、実際に検知対象を検知しながら受光面１ａの調整ができるものとなる。
【００４９】
（第３の実施の形態）
本発明の第３の実施の形態を図１２、図１３を用いて説明する。図１２は人感センサユニットの要部分解斜視図、図１３は、表示部分を説明するための要部側面図である。このものは、第２の実施形態における人感センサユニットの表示を見やすくしたものである。
【００５０】
このものは、円筒状本体１から奥方向に延設される延設片２ｃを設け、この延設片２ｃの先端部分に仮止め部Ａを設け、この仮止め部Ａの周縁に円筒状本体１の回転角度に応じた目盛２５を表示したものである。そなわち、円筒状本体１の受光面１ａが設けられた面の裏側に筒端部から奥方向に延設される延設片２ｃを設け、この延設片２ｃの先端部分に凸部１６を設け、さらにこの凸部１６が挿入される凹部２８を支持体２のコ字状の対向する片に８ケ設けている。そして、この８コの凹部２８の周縁に円筒状本体１の回転角度に応じた１〜８までの目盛２５を表示している。その他の第１の実施の形態と同一の構成部材には、同一符号を付すことにより説明を省略する。なお、図に示されないもので最低必要な構成部材は図７で示したものと同じものを使用している。
【００５１】
この実施の形態によると、円筒状本体１から奥方向に延設される延設片２ｃを設け、この延設片２ｃの先端部分に仮止め部Ａを設け、この仮止め部Ａの周縁に円筒状本体１の回転角度に応じた目盛２５を表示したことにより、図１１に示したもののように円筒状本体１が図１１（ａ）のものより、図１１（ｂ）のものに小さくなって、表示１４が見にくくなったとしても、表示２５を大きいものとすることができ、受光面１ａの角度を調整が行ないやすいものとなる。
【００５２】
なお、図１３はこの実施の形態の応用例を説明したものである。図１３（ａ）は従来のものであり、図１３（ｂ）は図１２を用いて説明したものである。さらに、図１３（ｃ）は延設片２ｃを長くして細かな角度で調整できるようにしたものであり、図１３（ｄ）はさらに円筒状本体１を小さくしたものである。
【００５３】
なお、第１の実施の形態や第２の実施の形態において、支持体２や凸状のリブ３ｂｋやカバー側面部３ｂについては、その何れかが弾性変形するものが望ましく、ここでは支持体２に板バネ状に弾性変形するものを使用している。
【００５４】
また、これらものは、固定ネジ２１の締め付けを行なうものと比べ、例えば照明器具の本体と支持体２との隙間に手を挿入して行なう必要がないので、照明器具の本体のバリ加工などは、不用なものとなる。さらに、固定がネジ止２１で締め付けるより早くてやりやすいものとなる。
【００５５】
【発明の効果】
請求項１記載の発明にあっては、検知対象の存在の有無を検出するセンサ素子と、これを内蔵する略円筒状の円筒状本体と、この円筒状本体の側周面に設けられ外からの光を導入させて前記センサ素子に略集光させる受光面と、前記円筒状本体を支持するとともに前記円筒状本体を筒の軸を中心に回転させて受光面を移動させる支持体と、を備えた人感センサにおいて、前記受光面に光を到達させるための透光開口を有した本体カバーを設け、この本体カバーを前記円筒状本体の両側の筒端部を略覆うセット状態にしたときに前記円筒状本体が回転しないようにする回転止め機構を設けたことにより、本体カバーを支持体から外すだけで、受光面の角度を調整できるようになり、角度調整後は、本体カバーを支持体に取り付けてセット状態にするだけで、円筒状本体が回転しないように固定されるものとなるので、受光面の角度を調整するときの操作手順が削減できるものとなる。
【００５６】
請求項２記載の発明にあっては、前記回転止め機構は、前記本体カバーが前記支持体に圧力を加えることによって、前記支持体が前記円筒状本体を回転しないようにするものであることにより、請求項１に記載した効果を奏するうえに、本体カバーによって回転止め機構ができるものとなるので、専用の構成部材の追加を行なわなくてもよいものとなる。
【００５７】
請求項３記載の発明にあっては、前記回転止め機構は、前記本体カバーに設けられた一対の挟持片を有し、この挟持片によって前記支持体を外側から挟み込むとともに前記支持体を介して前記円筒状本体の両側の筒端部を挟持するものであることにより、請求項２に記載した効果を奏するうえに、本体カバーのカバー側面部に凸状のリブを設けるなどの簡単な方法で、カバー側面部を挟持片とすることができ、回転止め機構が容易にできるものとなる。
【００５８】
請求項４記載の発明にあっては、前記回転止め機構は、前記本体カバーが前記セット状態にないときには前記受光面を所定の角度で仮止めできる仮止め部を有し、前記本体カバーが前記セット状態にあるときには前記仮止め部がさらに前記円筒状本体が回転しないように作用するものであることにより、請求項３に記載した効果を奏するうえに、円筒状本体がより確実に回転しないように固定できるものとなる。
【００５９】
請求項５記載の発明にあっては、前記本体カバーは、その一部が前記支持体に係合される係合部を有し、前記支持体は前記係合部を支持する係合支持部を有し、前記本体カバーの前記係合部は、前記係合支持部に係合されながら手前に引き出せるものであることにより、請求項３又は４に記載した効果を奏するうえに、本体カバーが支持体に係合されているので、受光面の角度を調整するときなどは、本体カバーを紛失するようなことがなくなるものとなる。
【００６０】
請求項６記載の発明にあっては、前記本体カバーは、前記手前に引き出した状態で前記係合部を軸として回動できるものであることにより、請求項５に記載した効果を奏するうえに、受光面の角度を調整する際に、本体カバーが当たりにくくなり、より調整が行ないやすくなるだけでなく、本体カバーが受光面の手前側に位置されないものとなるので、実際に検知対象を検知しながら受光面の調整ができるものとなる。
【００６１】
請求項７記載の発明にあっては、前記円筒状本体から奥方向に延設される延設片を設け、この延設片の先端部分に前記仮止め部を設け、この仮止め部の周縁に円筒状本体の回転角度に応じた目盛を表示したことにより、請求項４に記載した効果を奏するうえに、表示を大きいものとすることができ、受光面の角度の調整が行ないやすいものとなる。
【図面の簡単な説明】
【図１】本発明の第１の実施の形態に係る人感センサユニットの上から見た断面図である。
【図２】同上の人感センサユニットの本体カバーの斜視図である。
【図３】同上の人感センサユニットの支持体の先端に発生したカエリを説明するための図で、人感センサユニットを上から見た断面図と、その要部断面図である。
【図４】同上の人感センサユニットの応用例を示す図で、本体カバーと支持体の斜視図である。
【図５】同上の人感センサユニットの本体カバーが支持体にセットされるときの動きを示した説明図である。
【図６】図１０で示した人感センサユニットの本体カバーの動きを示す模式図である。
【図７】本発明の第２の実施の形態に係る人感センサユニットの分解斜視図である。
【図８】同上の人感センサユニットの側面図で、図８（ａ）は本体カバーを円筒状本体の両側の筒端部を略覆うセット状態にしたときの側面図、図８（ｂ）は本体カバーがセット状態にないときの側面図を示す。
【図９】同上の人感センサユニットの応用例を示す図で、人感センサユニットの分解斜視図である。
【図１０】同上の人感センサユニットの側面図で、図１０（ａ）は本体カバーを円筒状本体の両側の筒端部を略覆うセット状態にしたときの側面図、図１０（ｂ）は、本体カバーがセット状態にないときの側面図である。
【図１１】同上の人感センサユニットの円筒状本体を小型化したときの説明図で、図１１（ａ）は小型化をする前の円筒状本体の側面図、図１１（ｂ）小型化をした後の円筒状本体の側面図である。
【図１２】本発明の第２の実施の形態に係る人感センサユニットの人感センサユニットの要部分解斜視図である。
【図１３】同上の人感センサユニットの表示部分を説明するための要部側面図である。
【図１４】従来例に係る人感センサユニットの図で、図１４（ａ）は側面図、図１４（ｂ）は正面図である。
【図１５】同上の人感センサユニットの斜視図である。
【図１６】同上の人感センサユニットを階段用の照明器具に使用したときの照明器具の斜視図である。
【図１７】出願人が考案した人感センサユニットの斜視図である。
【図１８】同上の人感センサユニットの円筒状本体の側面図である。
【図１９】同上の人感センサユニットを上から見た断面図と要部断面図である。
【符号の説明】
１      円筒状本体
１ａ    受光面
１ｘ    回転軸
１４    凹部
１５    表示
２      支持体
２ｃ    延設片
２ｄ    係合支持部
２ｅ    カエリ回避用凸部
２６    凸部
２７    窓孔
３      本体カバー
３ａ    カバー枠部
３ａｃ  突出片
３ａｄ  係合部
３ａｘ  貫通口
３ｂ    カバー側面部
３ｂｋ  凸状のリブ
Ａ      仮止め部
【図１】
2004205299.tif 000003
【図２】
2004205299.tif 000004
【図３】
2004205299.tif 000005
【図４】
2004205299.tif 000006
【図５】
2004205299.tif 000007
【図６】
2004205299.tif 000008
【図７】
2004205299.tif 000009
【図８】
2004205299.tif 000010
【図９】
2004205299.tif 000011
【図１０】
2004205299.tif 000012
【図１１】
2004205299.tif 000013
【図１２】
2004205299.tif 000014
【図１３】
2004205299.tif 000015
【図１４】
2004205299.tif 000016
【図１５】
2004205299.tif 000017
【図１６】
2004205299.tif 000018
【図１７】
2004205299.tif 000019
【図１８】
2004205299.tif 000020
【図１９】
2004205299.tif 000021